(57)【要約】【課題】    利用者が患者の病名を選択する際に、シェーマ画像を利用することによって、容易に目的の病名を選択することが可能となることを目的とする。【解決手段】コンピュータを、利用者からのシェーマ画像選択指示を受け付ける選択指示受付手段と、前記選択指示受付手段によって受け付けられたシェーマ画像選択指示に基づき、シェーマ画像をレベルごとに管理するシェーマ情報記憶手段から対応するシェーマ画像を抽出するシェーマ画像抽出手段と、前記シェーマ画像抽出手段によって抽出されたシェーマ画像のレベルに対応する病名を、病名情報を前記レベルに対応付けて管理する病名情報記憶手段から抽出する病名抽出手段と、前記シェーマ画像抽出手段によって抽出されたシェーマ画像と、前記病名抽出手段によって抽出された病名と、を表示する表示手段として動作させることを特徴とする。【選択図】  図１
2006318154.tif 000002
【特許請求の範囲】
【請求項１】
コンピュータを、
利用者からのシェーマ画像選択指示を受け付ける選択指示受付手段と、
前記選択指示受付手段によって受け付けられたシェーマ画像選択指示に基づき、シェーマ画像をレベルごとに管理するシェーマ情報記憶手段から対応するシェーマ画像を抽出するシェーマ画像抽出手段と、
前記シェーマ画像抽出手段によって抽出されたシェーマ画像のレベルに対応する病名を、病名情報を前記レベルに対応付けて管理する病名情報記憶手段から抽出する病名抽出手段と、
前記シェーマ画像抽出手段によって抽出されたシェーマ画像と、前記病名抽出手段によって抽出された病名と、を表示する表示手段として動作させることを特徴とする診療情報入力支援プログラム。
【請求項２】
シェーマ画像をレベルごとに管理するシェーマ情報記憶手段と、
病名情報を前記レベルに対応付けて管理する病名情報記憶手段と、
利用者からのシェーマ画像選択指示を受け付ける選択指示受付手段と、
前記選択指示受付手段によって受け付けられたシェーマ画像選択指示に基づき、前記シェーマ情報記憶手段から対応するシェーマ画像を抽出するシェーマ画像抽出手段と、
前記シェーマ画像抽出手段によって抽出されたシェーマ画像のレベルに対応する病名を、前記病名情報記憶手段から抽出する病名抽出手段と、
前記シェーマ画像抽出手段によって抽出されたシェーマ画像と、前記病名抽出手段によって抽出された病名と、を表示する表示手段と、
を備えることを特徴とする診療情報入力支援装置。
【請求項３】
診療情報の入力支援を行うサーバによる診療情報入力支援方法であって、
利用者からのシェーマ画像選択指示を受け付ける選択指示受付ステップと、
前記選択指示受付ステップによって受け付けられたシェーマ画像選択指示に基づき、シェーマ画像をレベルごとに管理するシェーマ情報記憶手段から対応するシェーマ画像を抽出するシェーマ画像抽出ステップと、
前記シェーマ画像抽出ステップによって抽出されたシェーマ画像のレベルに対応する病名を、病名情報を前記レベルに対応付けて管理する病名情報記憶手段から抽出する病名抽出ステップと、
前記シェーマ画像抽出ステップによって抽出されたシェーマ画像と、前記病名抽出ステップによって抽出された病名と、を表示する表示ステップと、
を含むことを特徴とする診療情報入力支援方法。
【発明の詳細な説明】
【技術分野】
【０００１】
本発明は、電子カルテシステム等の診療支援システムにおける診療情報入力業務の支援を行うプログラム、装置、及び方法に関する。特に、患者の病名入力の際に、簡単な操作で所望の病名を選択することを可能にすることを目的とする。
【背景技術】
【０００２】
電子カルテ等の診療支援システムにおいては、利用者である医師が患者の診察を行い、その結果決定した病名の入力が行われる。しかし、病名は無数に存在するため、利用者が目的の病名を探し出すことは、非常に手間のかかる作業である。そのため、既存の診療支援システムは、病名の文字列検索を行うことで、利用者に目的の病名の絞込みをさせるものが多い。
【０００３】
また、下記の特許文献１には、病名選択時に、よく使う病名を高頻度傷病名として表示することで、利用者の病名選択支援を行う技術が説明されている。
【特許文献１】特開２００２−１６３３５５号公報
【発明の開示】
【発明が解決しようとする課題】
【０００４】
上述の特許文献１の技術は、よく使う病名が少ない場合には有効であるが、大量の病名が高頻度傷病名として登録された場合には、利用者は大量に表示された高頻度傷病名の中から目的の病名を探し出す必要があり、そのような場合には、結局従来の文字列検索を行って再度絞込みを行うという手間が発生していた。
【０００５】
本発明は、上述の従来技術とは全くアプローチの異なる病名選択の支援方法の実現を目的とする。
【課題を解決するための手段】
【０００６】
本発明に関わる診療情報入力支援プログラムは、コンピュータを、利用者からのシェーマ画像選択指示を受け付ける選択指示受付手段と、前記選択指示受付手段によって受け付けられたシェーマ画像選択指示に基づき、シェーマ画像をレベルごとに管理するシェーマ情報記憶手段から対応するシェーマ画像を抽出するシェーマ画像抽出手段と、前記シェーマ画像抽出手段によって抽出されたシェーマ画像のレベルに対応する病名を、病名情報を前記レベルに対応付けて管理する病名情報記憶手段から抽出する病名抽出手段と、前記シェーマ画像抽出手段によって抽出されたシェーマ画像と、前記病名抽出手段によって抽出された病名と、を表示する表示手段として動作させることを特徴とする。
【０００７】
また、本発明に関わる診療情報入力支援装置は、シェーマ画像をレベルごとに管理するシェーマ情報記憶手段と、病名情報を前記レベルに対応付けて管理する病名情報記憶手段と、利用者からのシェーマ画像選択指示を受け付ける選択指示受付手段と、前記選択指示受付手段によって受け付けられたシェーマ画像選択指示に基づき、前記シェーマ情報記憶手段から対応するシェーマ画像を抽出するシェーマ画像抽出手段と、前記シェーマ画像抽出手段によって抽出されたシェーマ画像のレベルに対応する病名を、前記病名情報記憶手段から抽出する病名抽出手段と、前記シェーマ画像抽出手段によって抽出されたシェーマ画像と、前記病名抽出手段によって抽出された病名と、を表示する表示手段と、を備えることを特徴とする。
【０００８】
更に、本発明に関わる診療情報の入力支援を行うサーバによる診療情報入力支援方法は、利用者からのシェーマ画像選択指示を受け付ける選択指示受付ステップと、前記選択指示受付ステップによって受け付けられたシェーマ画像選択指示に基づき、シェーマ画像をレベルごとに管理するシェーマ情報記憶手段から対応するシェーマ画像を抽出するシェーマ画像抽出ステップと、前記シェーマ画像抽出ステップによって抽出されたシェーマ画像のレベルに対応する病名を、病名情報を前記レベルに対応付けて管理する病名情報記憶手段から抽出する病名抽出ステップと、前記シェーマ画像抽出ステップによって抽出されたシェーマ画像と、前記病名抽出ステップによって抽出された病名と、を表示する表示ステップと、を含むことを特徴とする。
【発明の効果】
【０００９】
上述のように、本発明は、利用者が患者の病名を選択する際に、シェーマ画像を利用することによって、容易に目的の病名を選択することが可能となる。より具体的には、シェーマ画像が選択されると、当該シェーマ画像に関連する病名のみが表示されるため、利用者が患者の病名を選択する際に、絞り込まれた病名のみから所望の病名を選択することが可能となる。
【００１０】
また、その結果、シェーマ情報の入力と病名の入力とが同時に完了するという効果をも奏するものである。
【発明を実施するための最良の形態】
【００１１】
本発明の実施の形態に係るシステム概要について図1を用いて説明する。図１は、医療機関内に備えられる診療支援装置を模式的に示したシステム構成図である。医療機関内には、サーバ装置１２０と、クライアント端末１００とが、ＬＡＮ等のネットワーク１１０を介して接続されている。なお、図１においては、クライアント端末１００は一台しか記載されていない。通常は複数のクライアント端末１００がネットワークで接続されているものであるが、本実施の形態において、各クライアント端末１００のシステム構成は概ね同一であるため、説明の便宜のため一台のみの記載とするものである。
【００１２】
サーバ装置１２０は、ＯＳ１２１によって制御されており、このＯＳ１２１の上で診療支援サーバシステム１３０が動作する。当該診療支援サーバシステム１３０は、利用者の診療情報入力を支援するための様々なプログラムから構成されているが、主に、利用者からのシェーマの部位選択指示等を受け付ける選択指示受付プログラム１３１、シェーママスタ１４０からシェーマ画像を抽出するシェーマ画像抽出プログラム１３２、病名マスタ１４１から病名情報を抽出する病名抽出プログラム１３３、利用者にカルテ編集画面等を表示する表示プログラム１３４、とが含まれる。これらのプログラムは、サーバ装置１２０の図示せぬ外部記憶装置に格納されており、各プログラム実行時に内部記憶装置に読み出される。また、当該診療支援サーバシステム１３０には、シェーマに関する情報を格納するシェーママスタ１４０、病名に関する情報を格納する病名マスタ１４１、各患者の病歴に関する情報を格納する病歴データ１４２、とが含まれ、必要に応じて、選択指示受付プログラム１３１、シェーマ画像抽出プログラム１３２、病名抽出プログラム１３３、表示プログラム１３４、とから参照または更新される。
【００１３】
また、サーバ装置１２０は、利用者に各種の情報を提示するための表示装置（図示せず）の制御を行う表示制御部１２２、利用者からの情報の入力制御を行う入力制御部１２３、クライアント端末１００との通信制御を行う通信制御部１２４と、を備える。
【００１４】
当該サーバ装置１２０とネットワーク１１０を介して接続されるクライアント端末１００は、ＯＳ１０３によって制御されており、このＯＳ１０３の上で診療支援クライアントシステムが動作する。当該クライアント端末１００は、例えばパーソナルコンピュータである。また、診療支援クライアントシステム１０１は主にブラウジングプログラム１０２であって、診療支援サーバシステム１３０に対する入力と診療支援サーバシステム１３０からの情報の出力を行うものである。
【００１５】
また、クライアント端末１００は、利用者に各種の情報を提示するための表示装置（図示せず）の制御を行う表示制御部１０４、利用者からの情報の入力制御を行う入力制御部１０５、サーバ装置１２０との通信制御を行う通信制御部１０６と、を備える。
【００１６】
次に、本発明の一実施の形態に係る処理概要について、図２を用いて説明する。
【００１７】
まず、利用者がクライアント端末１００の診療支援クライアントシステム１０１から診療支援サーバシステム１３０にログイン処理を行う（Ｓ２０１）。診療支援サーバシステム１３０の表示プログラム１３４は、一般的な利用者認証手続による利用者認証を行った後、患者検索画面をクライアント端末１００に表示させる（Ｓ２０２）。
【００１８】
この患者検索画面について、患者検索画面３０１を用いて詳細に説明する。患者検索画面３０１は、ヘッダ部、ボディ部、とから構成されている。ヘッダ部には、画面の名称とともに、業務終了ボタンを備える。ボディ部には、患者を検索する際の検索キー入力領域、検索ボタン、検索結果を一覧表示する領域、とを備える。
【００１９】
この患者検索画面において、利用者が業務を終了する際は、ヘッダ部に備えられた業務終了ボタンを押下する。診療支援サーバシステムは、業務終了ボタンの押下を受け付けた場合は、業務を終了する（Ｓ２０３）。それ以外の操作を受け付けた場合は、Ｓ２０４の患者検索処理を実行する。具体的には、患者検索画面３０１の検索キー入力領域への患者氏名を検索するための検索キーの入力とともに、検索ボタンの押下を受け付ける。そして、図示せぬ患者データを検索し、該当する患者の情報を抽出して、表示プログラム１３４が患者検索画面３０１の一覧表示領域に表示する。
【００２０】
次に、患者検索画面３０１の一覧表示領域から利用者が一人の患者を選択したことを受けて、当該患者のカルテ情報を表示するカルテ画面を表示プログラム１３４が表示する（Ｓ２０５）。
【００２１】
このカルテ編集画面について、図４のカルテ編集画面４０１を用いて詳細に説明する。カルテ編集画面４０１は、ヘッダ部、ボディ部、とから構成されている。ヘッダ部は、患者氏名と、当該患者の過去の診療歴を参照する際に押下される診療歴ボタンと、シェーマの入力を行う際に押下されるシェーマボタンと、入力された診療情報を保存終了する際に押下される保存ボタンと、入力された診療情報を保存せずに終了する際に押下される取消ボタンと、を備える。なお、シェーマとは、人体中の疾患を有する部位を、その疾患についてのコメントとともに表す図形のことを差す。ボディ部は、症状や経過等を入力する症状・経過欄を左側に、処置や処方等のオーダ情報を入力する処置・処方欄を右側に、病歴を入力する領域を下部に備える。
【００２２】
カルテ編集画面４０１は、利用者が山田太郎のカルテ編集画面を開き、主訴（S: Subjective）、所見（O: objective）、評価（A: Assessment）、治療計画（P: Plan）等を入力したものである。利用者は、このカルテ編集画面４０１を用いて、診療情報の編集を行う（Ｓ２０６）。そして、患者の診療情報の編集が完了し、利用者によってカルテ編集画面４０１の保存ボタン若しくは取消ボタンが押下されると、保存ボタンが押下された場合であれば編集した内容を保存し、取消ボタンが押下された場合であれば編集した内容を保存せずに、Ｓ２０２に戻り、患者検索画面を再度表示する。
【００２３】
次に、Ｓ２０６のカルテ編集処理について、図５のフローを用いて詳細に説明する。まず、診療支援サーバシステム１３０は、利用者の操作を受け付ける。この操作が病名検索の指示であった場合は（Ｓ５０１）、病名検索処理を実行する（Ｓ５０２）。これは、従来の病名文字列検索処理と同一である。即ち、カルテ編集画面４０１の病歴入力領域において所定の操作を受け付けることにより文字列検索画面を表示し、利用者に病名を選択させるものである。この操作によって決定された病名は、カルテ編集画面４０１の病歴入力領域にその病名が設定されて表示される（Ｓ５０３）。
【００２４】
利用者の操作がシェーマの入力指示であった場合は（Ｓ５０４）、シェーマの入力処理が実行される（Ｓ５０５）。具体的には、カルテ編集画面４０１のシェーマボタンが利用者に押下されることによってシェーマ入力処理が実行される。このシェーマ入力処理Ｓ５０５は、シェーマの入力と同時に病名の選択を完了させるための処理であり、本発明の特徴的な部分である。
【００２５】
ここで、シェーマ入力処理Ｓ５０５について、図６のフローを用いて詳細に説明する。まず、表示プログラム１３４は、第一レベルのシェーマを表示する（Ｓ６０１）。具体的には、シェーママスタ１４０を参照し、第一レベルのシェーマ画像を抽出して表示する。
【００２６】
このシェーママスタ１４０について、図７のシェーママスタ７０１を用いて詳細に説明する。シェーママスタ７０１は、シェーマ画像をレベルごとに管理するマスタであって、ＩＤ、名称、シェーマ画像の格納場所へのポインタである格納場所、キー情報、レベル、リンク情報、とから構成されている。ここでいうレベルとは、シェーマ画像の詳細さを表すものである。一番上位のレベルはレベル１であって、ＩＤ＝０１のレコードで示されている、全身・一般がそれにあたる。レベル２は、次の階層のレベルであって、例えば腹部、背面、でん部、等がそれにあたる。最下層のレベルであるレベル３は、腹部表面、胃、十二指腸、食道、等の一番詳細な部位を表すものである。なお、キー情報、リンク情報については後述する。
【００２７】
Ｓ６０１の処理においては、シェーママスタ７０１の第一レベル、即ちレベル＝１のレコードを参照し、シェーマ画像の格納場所を取得することで、必要なシェーマ画像をシェーマ編集画面に展開する。このシェーマ編集画面を図８のシェーマ編集画面８０１に例示する。シェーマ編集画面８０１には、レベル１に相当する全身・一般のシェーマ画像が表示されている。また、当該画像の表示領域には、複数のリンク情報が埋め込まれている。このリンク情報は、シェーママスタ７０１のリンク情報に格納されている。具体的には、<c>と</C>で囲まれた情報が座標を表し、<d>と</d>で囲まれた情報が次に表示すべきシェーマのIDを表している。つまり、C:\0001.jpgという画像上において、左上座標10,20と右下座標110,120とで表される矩形に対し、シェーママスタ７０１のＩＤ＝０２である腹部へのリンクを埋め込むことを示している。同様に、左上座標60,20と右下座標160,120とで表される矩形に対し、シェーママスタ７０１のＩＤ＝０３である背面へのリンクを埋め込むことを示している。利用者は、このようなリンクが埋め込まれたシェーマ編集画面８０１において、所望の箇所をクリックする。選択指示受付プログラム１３１は、利用者からの部位の選択を受信する（Ｓ６０２）。そして、第二レベルシェーマ表示処理が起動される（Ｓ６０３）。
【００２８】
この第二レベルシェーマ表示処理について、図９のフローを用いて詳細に説明する。まず、Ｓ６０２で受信した利用者の指示に基づき、シェーマ画像抽出プログラム１３２がシェーマ画像を抽出し、表示プログラム１３４が当該画像の表示を行う（Ｓ９０１）。例えば、Ｓ６０２で利用者がシェーマ編集画面８０１の左側全身画像の腹部をクリックした場合、シェーマ画像抽出プログラム１３２が、クリックされた部位に埋め込まれているリンクから、次に表示すべきシェーマのシェーママスタＩＤが０２であることを把握する。そして、対応する画像を抽出し、表示プログラム１３４がシェーマ編集画面に表示する。このシェーマ編集画面を図８のシェーマ編集画面８０２に例示する。このように、Ｓ９０１の処理によって、左側に腹部の画像が表示されることとなる。
【００２９】
次に、Ｓ６０２で受信した利用者の指示に基づき、病名抽出プログラム１３３が病名を抽出する（Ｓ９０２）。例えば、Ｓ６０２で利用者がシェーマ編集画面８０１の左側全身画像の腹部をクリックした場合、病名抽出プログラム１３３が、クリックされた部位に埋め込まれているリンクから、次に表示すべきシェーマのシェーママスタＩＤが０２であることを把握する。そして、当該レコードのキー情報が０１であることを把握する。次に、病名抽出プログラム１３３が、このキー情報を用いて、腹部に関連する病名を病名マスタ１４１から抽出する。
【００３０】
この病名マスタ１４１を、図１０の病名マスタ１００１に例示する。病名マスタは、病名を管理するマスタであって、病名コード、病名、キー情報、とから構成されている。Ｓ９０２の抽出処理では、腹部のシェーマに関連付けられているキー情報が０１であるため、病名マスタ１００１のレコードのうち、キー情報の４桁の数字の１〜２桁目が０１であるレコードを抽出する。病名マスタ１００１の例では、キー情報が０１０２，０１０３，０１０４であるレコードがこれに相当する。
【００３１】
次に、表示プログラム１３４が、Ｓ９０２で抽出された病名をシェーマ編集画面８０２の右側に一覧表示する（Ｓ９０３）。利用者は、この画面において、シェーマに書き込みを行ったり、病名の選択を行ったりする。この段階で、既に腹部に関係する病名のみが絞り込まれて表示されているため、利用者は従来のように大量の病名から必要な病名を探すという手間をかけず、簡単に病名の選択を行うことが可能となる。なお、病名の選択においては、単に病名をクリックするほか、一覧の上部に備えられた文字入力領域を用いて病名の文字列検索を行うことも可能である。
【００３２】
その後、シェーマ編集画面８０２のヘッダに備えられた保存ボタンが利用者によって押下された場合は、後述するＳ６０８の処理に進む（Ｓ６０４）。なお、シェーマ編集画面８０２のヘッダに備えられた“閉じる”ボタンが利用者によって押下された場合は、ここで利用者に入力された指示を全て破棄して画面を閉じる。
【００３３】
次に、シェーマ編集画面８０２において、利用者が更に詳細なシェーマを表示したいと考えた場合、シェーマ画像上のいずれかの箇所をクリックする。このこの指示を選択指示受付プログラム１３１が受信すると（Ｓ６０５）、第三レベルシェーマ表示処理が起動される（Ｓ６０６）。
【００３４】
この第三レベルシェーマ表示処理について、図１１のフローを用いて詳細に説明する。まず、シェーマ画像抽出プログラム１３２がシェーマ画像候補を抽出して選択肢を表示する。そして、当該選択肢の中から利用者に選択されたシェーマ画像を表示プログラム１３４が表示する（Ｓ１１０１）。例えば、シェーマ編集画面８０２において、利用者からの画像クリックを受信すると、シェーママスタ７０１の腹部に関するレコードのリンク情報を確認する。当該リンク情報は、次に表示すべきシェーマ画像の候補を示すＩＤが格納されている。即ち、シェーママスタＩＤが、１１、１２、１３、１４、１５、１６がこれに相当する。そして、表示プログラム１３４は、これらのシェーママスタＩＤが示すレコードの名称である、腹部表面、胃、十二指腸、食道、等を一覧表示した選択画面を表示する。利用者がこれらの中から一つを選択すると、その選択されたシェーマ画像を表示する。このシェーマ編集画面を図１２のシェーマ編集画面１２０１に例示する。このように、Ｓ１１０１の処理によって、左側に胃の画像が表示されることとなる。
【００３５】
次に、病名抽出プログラム１３３が病名を抽出する（Ｓ１１０２）。例えば、上述の処理で利用者が胃のシェーマを選択したした場合、次に表示すべきシェーマのシェーママスタＩＤが１２であることを把握する。そして、当該レコードのキー情報が０１０２であることを把握する。次に、病名抽出プログラム１３３が、このキー情報を用いて、胃に関連する病名を病名マスタ１４１から抽出する。Ｓ１１０２の抽出処理では、胃のシェーマに関連付けられているキー情報が０１０２であるため、病名マスタ１００１のレコードのうち、キー情報の４桁の数字の１〜４桁目が０１０２であるレコードを抽出する。
【００３６】
次に、表示プログラム１３４が、Ｓ１１０２で抽出された病名をシェーマ編集画面１２０１の右側に一覧表示する（Ｓ１１０３）。利用者は、この画面において、シェーマに書き込みを行ったり、病名の選択を行ったりする。カルテ編集画面１２０１の例では、胃の画像上に、利用者が描画ツール等を用いてポリープのマークを追加したものを表している。この段階で、既に胃に関係する病名のみが絞り込まれて表示されているため、利用者は従来のように大量の病名から必要な病名を探すという手間をかけず、簡単に病名の選択を行うことが可能となる。なお、病名の選択においては、単に病名をクリックするほか、一覧の上部に備えられた文字入力領域を用いて病名の文字列検索を行うことも可能である。
【００３７】
その後、シェーマ編集画面１２０１のヘッダに備えられた保存ボタンが利用者によって押下された場合は、Ｓ６０８の処理に進む（Ｓ６０７）。なお、シェーマ編集画面１２０１のヘッダに備えられた“閉じる”ボタンが利用者によって押下された場合は、ここで利用者に入力された指示を全て破棄して画面を閉じる。
【００３８】
次に、保存ボタンが押下される前に利用者によってシェーマ画像に書き込みがあったか否かを判断する（Ｓ６０８）。書き込みがあった場合は、当該シェーマを退避する（Ｓ６０９）。そして、次に、保存ボタンが押下される前に利用者によって病名の選択があったか否かを判断する（Ｓ６１０）。病名の選択があった場合は、当該病名を退避する（Ｓ６１１）。
【００３９】
その後、Ｓ６０９で退避したシェーマ画像をカルテ編集画面に設定する（Ｓ５０６）。このカルテ編集画面を図４のカルテ編集画面４０２に例示する。このように、所見入力エリアに、縮小されたシェーマ画像が表示される。次に、Ｓ６１１で退避した病名をカルテ編集画面に設定する（Ｓ５０７）。これにより、カルテ編集画面４０２の病歴入力領域に病名が表示される。このように、本発明の仕組みによれば、シェーマ画像の入力と並行して病名の設定を行うことが可能になるため、利用者にとって使い易いものとなるものである。なお、本発明とは直接関係がないため詳細な説明は割愛するが、カルテ編集画面４０２において利用者は、症状・経過欄、病歴入力領域のほか、処置・処方欄にオーダ情報を入力する。カルテ編集画面４０２は、処方オーダの情報が入力されたものを表す。
【００４０】
そして、カルテ編集画面４０２において、ヘッダ部に備えられた保存ボタンが押下されると、処置・処方欄に入力された情報に基づき、オーダ情報が保存される（Ｓ５０９）。また、症状・経過欄に入力された情報に基づき、カルテ情報が保存される（Ｓ６１０）。このとき、Ｓ６０９で退避されたシェーマ画像が当該カルテ情報に関連付けられて、図示せぬシェーマ画像情報ファイルに格納される。
【００４１】
その後、病歴入力領域に入力された情報に基づき、病歴情報が病歴データ１４２に保存される（Ｓ５１１）。この病歴データを、図１３の病歴データ１３０１に例示する。病歴データ１３０１は、患者ＩＤ、病名コード、開始日、終了日、転帰、とから構成されている。Ｓ５１１の処理では、患者ＩＤとともに、カルテ編集画面４０２の病歴入力領域に入力された病名に対応する病名コードが書き込まれる。また、同画面に利用者が入力した開始日も書き込まれる。なお、後日、当該患者が完治した場合は、その日付を終了日に、また、転帰には“完治”が書き込まれることとなる。
【００４２】
このようにしてカルテ編集処理（Ｓ２０６）が終了すると、再び患者検索画面を表示する（Ｓ２０２）。
【００４３】
本実施の形態においては、一般的なクライアントサーバシステムの例として説明したが、本発明は上述のシステム構成に限定するものではない。例えば、各データを診療支援サーバシステム１３０で保持するように説明したが、これらのデータを各クライアント端末の診療支援クライアントシステム１０１で保持するようにしても同様に動作するものである。また、小規模な医療機関においてはパーソナルコンピュータ単体でのシステムも考えられる。その場合は、診療支援サーバシステムに備えられていた各プログラム、各データを診療支援クライアントシステム内に備えることで、同様な仕組みを実現することが可能となる。
【００４４】
また、本実施の形態において説明した各プログラムは、ＣＤ−ＲＯＭ等の記録媒体に格納することで、配布可能となり、このような記録媒体を用いてコンピュータに当該プログラムをインストールすることで、上述のような処理が可能となるものである。
【００４５】
更に、診療支援サーバシステム１３０は、必ずしも医療機関内にある必要はなく、例えば、ＡＳＰ（Application Service Provider）内のサーバに格納しておき、各医療機関にある診療支援クライアントシステムからのアクセスに応じてサービスを提供する形態も考えられる。このような場合は、当該ＡＳＰ事業者のサーバが本発明の診療情報入力支援方法を実施することで上述のような処理が可能となるものである。
【図面の簡単な説明】
【００４６】
【図１】実施の形態のシステム構成図である。
【図２】実施の形態の処理フローである。
【図３】患者検索画面の一例を示す図である。
【図４】カルテ編集画面の一例を示す図である。
【図５】カルテ編集処理の流れを示すフローチャートである。
【図６】シェーマ入力処理の流れを示すフローチャートである。
【図７】シェーママスタの一例を示す図である。
【図８】シェーマ編集画面の一例を示す図である。
【図９】第二レベルシェーマ表示処理の流れを示すフローチャートである。
【図１０】病名マスタの一例を示す図である。
【図１１】第三レベルシェーマ表示処理の流れを示すフローチャートである。
【図１２】シェーマ編集画面の一例を示す図である。
【図１３】病歴データの一例を示す図である。
【符号の説明】
【００４７】
１００  クライアント端末
１０１  診療支援クライアントシステム
１０２  ブラウジングプログラム
１０３  ＯＳ
１０４  表示制御部
１０５  入力制御部
１０６  通信制御部
１１０  ネットワーク
１２０  サーバ装置
１２１  ＯＳ
１２２  表示制御部
１２３  入力制御部
１２４  通信制御部
１３０  診療支援サーバシステム
１３１  選択指示受付プログラム
１３２  シェーマ画像抽出プログラム
１３３  病名抽出プログラム
１３４  表示プログラム
１４０  シェーママスタ
１４１  病名マスタ
１４２  病歴データ
【図１】
2006318154.tif 000003
【図２】
2006318154.tif 000004
【図３】
2006318154.tif 000005
【図４】
2006318154.tif 000006
【図５】
2006318154.tif 000007
【図６】
2006318154.tif 000008
【図７】
2006318154.tif 000009
【図８】
2006318154.tif 000010
【図９】
2006318154.tif 000011
【図１０】
2006318154.tif 000012
【図１１】
2006318154.tif 000013
【図１２】
2006318154.tif 000014
【図１３】
2006318154.tif 000015